(57)【特許請求の範囲】
【請求項１】
歯科用部品（５０）を取り扱う器具（１０）であって、該器具は、長手軸（１１）に沿って取扱い端部（１０ｃ）と、前記歯科用部品（５０）との接続のための接続端部（１０ａ）との間に延在し、
前記接続端部（１０ａ）は、前記歯科用部品（５０）の頭部（５１）を受ける受け口（１４）と、前記受け口（１４）に収容されるときに、前記接続端部と前記頭部との分離に対抗して前記歯科用部品（５０）の前記頭部（５１）を保持する少なくとも１つの保持手段（２０）とを備え、前記受け口（１４）は、横方向が開いており、前記接続端部（１０ａ）と前記歯科用部品（５０）とが、それらを互いに対して前記長手軸（１１）を横切るようにずらせることにより接続され易くなるようになっており、前記接続端部（１０ａ）は、弾性隆起部（２０）を、前記歯科用部品（５０）を横方向に保持する保持手段として備え、前記接続端部（１０ａ）は、前記器具（１０）に発生するトルクを前記歯科用部品（５０）に伝達する少なくとも１つのつめ（１７ａ、１７ｂ）を備え、該少なくとも１つのつめ（１７ａ、１７ｂ）は、前記器具と前記歯科用部品とを結合させた後に、前記器具（１０）と前記歯科用部品（５０）とを互いに対して前記長手軸（１１）の回りに回転させることにより、前記歯科用部品に形成される突出部（５３ａ、５３ｂ）に接触し易くなり、
前記取扱い端部（１０ｃ）は、トルクレンチまたはアングルピースと回転に関して固定された接続を形成するように設計されることを特徴とする、器具（１０）。
【請求項２】
前記隆起部（２０）は、薄板状部材（２１）の上に配置される、請求項１に記載の器具。
【請求項３】
前記接続端部（１０ａ）は、前記長手軸（１１）の回りに、３６０度未満の角度範囲に亘って延在し、かつ前記歯科用部品（５０）に形成される溝（５２）に嵌合可能な肩部（１７）を備える、請求項１または２に記載の器具。
【請求項４】
前記肩部（１７）は、前記長手軸（１１）の回りに、２７０度未満の角度範囲に亘って延在している、請求項３に記載の器具。
【請求項５】
前記接続端部（１０ａ）と前記取扱い端部（１０ｃ）との間に配置され、かつ前記長手軸（１１）の方向の長さを判定するための目盛り（３１）を含む中央部（１０ｂ）を備える、請求項１から４のいずれか一項に記載の器具。
【請求項６】
前記接続端部（１０ａ）は、前記歯科用部品（５０）の前記頭部（５１）の一部を受ける溝（１６）と、前記溝（１６）に対して軸方向にずらせて配置され、かつ、前記頭部（５１）の前記一部が前記溝に受けられているときに、前記器具（１０）に発生するトルクを前記歯科用部品（５０）に伝達するように構成される、少なくとも１つのつめ（１７ａ、１７ｂ）と、を備える、請求項１から５のいずれか一項に記載の器具。
【請求項７】
前記接続端部（１０ａ）は、前記長手軸（１１）に沿って弾性変形可能であり、かつ、前記歯科用部品（５０）の前記頭部（５１）を、それが前記受け口（１４）に受けられているときに横方向に保持するように構成される、少なくとも１つの保持手段（２０）を備える、請求項１から６のいずれか一項に記載の器具。
【請求項８】
回転軸（１１）の回りの回転のために、請求項１から７のいずれか一項に記載の器具に接続されるように構成される雄部材であって、該雄部材（５０）は、口腔内に脱着可能に固定するための固定用端部（５０ｃ）と、歯科補綴物に固定されるように構成される雌部材に脱着可能に接続されるための頭部端面（５０ａ）と、を備え、該頭部端面（５０ａ）は、少なくとも１つの突出部（５３ａ、５３ｂ）を備え、前記少なくとも１つの突出部（５３ａ、５３ｂ）は、前記回転軸（１１）を横切るように突出しており、また、前記回転軸（１１）を横切るように前記雄部材（５０）を前記器具（１０）に対して移動させることによって、前記頭部端面（５０ａ）が前記器具（１０）の横方向に開いた前記受け口（１４）の中へ挿入されるという点で、および、前記器具と前記雄部材とが、結合された後に、前記回転軸の周りに互いに対して回転させられるという点で、前記器具（１０）に形成されるつめ（１７ａ、１７ｂ）は、前記器具に発生するトルクを伝達するために、前記少なくとも１つの突出部（５３ａ、５３ｂ）と接触し易くなっている、雄部材。
【請求項９】
前記雄部材（５０）の前記頭部端面（５０ａ）は、前記器具（１０）に嵌合可能な溝（５２）を備える、請求項８に記載の雄部材。
【請求項１０】
前記少なくとも１つの突出部（５３ａ、５３ｂ）は、前記溝（５２）の高さに配置される、請求項９に記載の雄部材。
【請求項１１】
前記溝（５２）はテーパ付き断面（５２ａ、５２ｂ、５２ｃ）を有する、請求項９または１０に記載の雄部材。
【請求項１２】
前記固定用端部（５０ｃ）と前記溝（５２）との間に配置される周方向の鍔（５４）を備える、請求項９から１１のいずれか一項に記載の雄部材。
【請求項１３】
前記固定用端部は、前記回転軸（１１）の回りに回転可能なねじ付き端部（５０ｃ）である、請求項８から１２のいずれか一項に記載の雄部材。
【請求項１４】
前記少なくとも１つの突出部（５３ａ、５３ｂ）は、前記回転軸の回りに、１８０度未満である角度範囲に亘って延在する、請求項８から１３のいずれか一項に記載の雄部材。
【請求項１５】
前記少なくとも１つの突出部（５３ａ、５３ｂ）は、前記回転軸の回りに、９０度未満である角度範囲に亘って延在する、請求項８から１３のいずれか一項に記載の雄部材。
【請求項１６】
前記少なくとも１つの突出部（５３ａ、５３ｂ）は、前記回転軸の回りに、４５度未満である角度範囲に亘って延在する、請求項８から１３のいずれか一項に記載の雄部材。
【請求項１７】
請求項１から７のいずれか一項に記載の器具と、少なくとも１つの雄部材と、を備えるセット。
【請求項１８】
請求項１から７のいずれか一項に記載の器具と、請求項８から１６のいずれか一項に記載の雄部材と、を備えるセット。
【発明の詳細な説明】
【技術分野】
【０００１】
本発明は、請求項１の前文に記載の歯科用部品を取り扱う器具に関する。
【背景技術】
【０００２】
このような器具は、例えば特許文献１、特許文献２、特許文献３により知られているようなねじ回しの形態に設計される。これらの器具は、歯科用部品の頭部を受けるように前面を開放して設計される接続端部を有する。したがって、器具および歯科用部品は、これらを互いに対して長手軸方向に相互にずらせることにより互いに接続される。しかしながら、例えば、歯科用部品を患者の口腔内に挿入する場合には、空間の条件は制限されていて、器具の歯科用部品上での取り付けが難しくなる。
【先行技術文献】
【特許文献】
【０００３】
【特許文献１】欧州特許出願公開第０９８６３４１号明細書
【特許文献２】欧州特許出願公開第２２８１５２７号明細書
【特許文献３】欧州特許出願公開第２５６７６７２号明細書
【発明の概要】
【発明が解決しようとする課題】
【０００４】
本発明の目的は、歯科用部品の取扱いを容易にする器具を提供することにある。
【課題を解決するための手段】
【０００５】
この目的は、請求項１に記載の器具によって達成される。追加の請求項では、本発明による器具の好適な実施形態、それに接続されるように構成される雄部材、および本発明による器具と少なくとも１つの雄部材とを備えるセットが規定されている。
【０００６】
請求項１によれば、前記器具の接続端部は、前記接続端部と前記歯科用部品とが、それらを互いに対して前記器具の長手軸を横切るようにずらせることにより接続され易くなるように、横方向が開いている受け口を備える。この設計により、器具が歯科用部品上に、それを横方向にずらすことにより配置されるという点で、例えば口腔内に固定される歯科用部品を解放することができることから、操作が容易になる。
【０００７】
好適には、前記器具の前記接続端部は、前記受け口に受ける前記歯科用部品の頭部を、前記接続端部と前記頭部との分離に対抗して保持する少なくとも１つの保持手段を備える。これは、前記歯科用部品が不意に、器具から操作中に脱落して、場合によっては、患者の食道に、または更に悪いことに、患者の気管に入るという危険を小さくする（「吸引を防止する取扱い」）。
【０００８】
好適には、前記接続端部は、前記器具と前記歯科用部品とが、結合された後に、回転軸の回りに互いに対して回転させるという点で、前記歯科用部品、とりわけ雄部材に形成される突出部に接触し易い、少なくとも１つのつめを備える。この設計は、それを位置決めするか、またはそれを取り出すためにねじ回しとして使用するときに、器具と歯科用部品とを、器具が歯科用部品に対して長手軸回りにある角度だけ回転している場合でも結合させる、または分離することができるので、器具を歯科用部品に対して正確に位置合わせしなくても済むという特有の利点を有する。
【０００９】
更に別の特定の設計の特徴、およびこれらの利点は、例示的な実施形態に関する以下の説明および図面から明らかになる。
【図面の簡単な説明】
【００１０】
【図１】本発明による器具の斜視図を示す。
【図２】図１の器具を側面図で示す。
【図３】図１の器具を正面図で示す。
【図４】図１の器具を図３の直線ＩＶ−ＩＶに沿った断面図で示す。
【図５】図１の器具を図３の直線Ｖ−Ｖに沿った断面図で示す。
【図６】図１の器具の接続端部の詳細図を示す。
【図７】図１の器具の別の斜視図を示す。
【図８】図１による器具で取り扱うことができる歯科用部品の斜視図を示す。
【図９】図８の歯科用部品の上断面図を示す。
【図１０】図８の歯科用部品の側断面図を示す。
【図１１】図１の器具と図８の歯科用部品とを一緒にあわせた後の斜視図を示す。
【図１２】図１１による配置を、図１１の直線ＸＩＩ−ＸＩＩに沿った断面図で示す。
【図１３】図１１による配置を長手方向断面で示す。
【発明を実施するための形態】
【００１１】
図１から図７は、例えば図８から図１０に示される歯科用部品５０を取り扱うように機能する器具１０を示している。器具１０はここでは、歯科用部品５０を回転させためのねじ回しとして使用されており、したがって、以下の説明では、そう表記される。
【００１２】
ねじ回し１０は、歯科用部品５０がその周りに回転させられる回転軸にここでは対応する長手軸１１に沿って延在する。それは、接続端部１０ａと、取扱い端部１０ｃと、これらの２つの端部を接続する中央部１０ｂと、を備える。接続端部１０ａは、歯科用部品を受け、それを取り扱うことができるように機能する。例えば、接続端部１０ａを回転軸１１の回りに回転することにより、歯科用部品を回転させることができる。接続端部１０ａは、歯科用部品の頭部を、それを回転軸１１に対し横向きに、受け口１４内に移動させることにより挿入することができる、横方向に開いた受け口１４を有する。前方端では、接続端部１０ａは、受け口１４に結合し、その頭部が受け口１４に受けられたときに歯科用部品がそこから突出する、貫通穴１５を備える。
【００１３】
接続端部１０ａの壁は、肩部１７が隣接する溝１６をそれが形成し、その外側が、接続端部１０ａの前方端面１８の一部となるように形付けられる。溝１６と肩部１７とは、円周全体の周りに延在している訳ではなく、３６０度未満の角度範囲、好適には２７０度未満の角度範囲のみ覆っている（図３参照）。
【００１４】
溝１６は、歯科用部品５０の対応する部分に本質的に相補的になるよう設計され、この頭部が接続端部１０ａに収容されるときには、この部分が溝１６の壁に接触するようになっている（図１３参照）。
【００１５】
肩部１７は、そこにおいて内側に向かって、すなわち回転軸１１の方に向かって、その中央部１７ｃにおけるよりも突出している（図３および図６の肉厚端部１７ａ、１７ｂを参照）、各端部の肉厚領域によって設計される。以下に更に説明されるように、それぞれの端部１７ａ、１７ｂは、歯科用部品５０がねじ回し１０のトルクを伝達することができるつめ（stop）を形成する。ここで、肩部１７は、肩部１７の中央部１７ｃと、それぞれの端部１７ａ、１７ｂとの間に、肩部１７がそこで半径方向外側に、すなわち回転軸１１から遠ざかって延在するという点で壁厚が薄い箇所１７ｄ、１７ｅを有している。箇所１７ｄ、１７ｅは省略することもできる。
【００１６】
接続端部１０ａは更に、それが受け口１４に収容されているときに歯科用部品が脱落するのを防止する１つ以上の保持手段を有する。保持手段はここでは、溝１６の高さに設けられている隆起部２０を備える。回転軸１１の方向に見た場合、隆起部２０は、溝１６の２つの端部の間の中央領域にある（図３参照）。隆起部２０は、軸方向に（すなわち、回転軸１１の方向に）移動することができるように支持される。このためには、隆起部２０は、それが軸方向に弾性的に移動することができるように、一方の端部で保持された薄板状部材２１の上に配置されている。薄板状部材２１はここでは、溝１６が形成される壁に、端部で接続される、穿孔ディスクの断片の形状に形成されている。薄板状部材２１は、軸方向の移動が可能になるように、中央部１０ｂからある距離を空けて配置されている（図２、図５、または図６の空き空間２２を参照）。
【００１７】
貫通穴１５の延長部分では、ねじ回し１０の中央部１０ｂは、ブラインド穴（非貫通穴）２４を有する。これは、例えば薄板状部材２１の製造における処理加工の結果として得られる。
【００１８】
中央部１０ｂはここでは、略円筒形の本体として設計される。目印が、ここでは等間隔の線の形状として図示される目盛りとして機能するように、外側に設けられる。図７に示すように、ここでは数字１から５が付された寸法目盛り３０もまた、中央部１０ｂの外側に設けられている。この寸法目盛りは、勿論、異なる形状に設計するか、または全部省略することもできる。もし設けられるならば、寸法目盛り３０と目印３１とは、特定のレベルからの高さを測定することができるものさしを形成する。例えば、これにより、歯科医師は、ねじ回し１０をインプラント、かつ／またはインプラント上のアバットメントの上に配置し、目印３１を読み取って、特定サイズのアバットメントを載せる高さを確認することにより、適切なアバットメントのサイズをより容易に選択することができる。
【００１９】
ねじ回し１０の取扱い端部１０ｃは、それぞれの目的のために設計される。取扱い端部１０ｃはここでは、ねじ回し１０を、それに収容される歯科用部品と一緒に回転させるために、それを別の工具に接続することができるように設計される。取扱い端部１０ｃは、トルクレンチ（「ラチェット」）の接続頭部の形状にぴったり嵌合して回転に関して固定された接続を形成するように設計された、外側に輪郭加工４０を持つ頭部を有する。このような工具は、規定された締め付けトルクを歯科用部品に作用させて口腔内に取り付けることができるように使用される。
【００２０】
図７に示すように、取扱い端部１０ｃは、締め付けおよび／または緩めの間、カウンタホルダ（counterholder）として機能するブラインド穴４１を前方端に有する。
【００２１】
中央部１０ｂは、取扱い時の転がりを防止する平坦領域４２ａを有する鍔４２を介して、取扱い端部１０ｃに接続される。
【００２２】
取扱い端部１０ｃの頭部は、異なる設計を有することもでき、それに接続されることになる工具の設計にしたがって適合させられる。例えば、歯科医師が使用するアングル部材との接続を行おうとする場合、取扱い端部１０ｃの頭部は、ＩＳＯ接続（ISO connection）として設計することができる。
【００２３】
必要ならば、ユーザはねじ回し１０を、取扱い端部１０ｃをグリップとして使用することにより、指で直接取り扱うこともできる。
【００２４】
ねじ回し１０は、プラスチックおよび／または金属のような従来の材料から、個別の部品として、または複数の部品からなるように製造することができる。
【００２５】
ねじ回し１０で取り扱うことができる歯科用部品５０の一例が、図８から図１０に示されている。例示的な本実施形態では、歯科用部品５０は、例えば義歯のような歯科補綴物を口腔内に着脱可能に取り付けることができるように、対応する相手方部材（「雌部材」）に接続することができる雄部材として機能する。雄部材はここでは、固定用端部５０ｃに中央雄部５０ｂを用いて接続される接続端部５０ａを有するアバットメントとして設計される。中央雄部５０ｂおよび固定用端部５０ｃは、アバットメント５０をインプラントに固定することができるように設計される。この目的のために、固定用端部５０ｃは、例えば、インプラント上の相手方のねじ部にねじ込むことができるねじ山を有する。
【００２６】
用途によっては、部分５０ｂおよび５０ｃは、雄部材５０を歯根ピン（root pin）、歯根アンカー（root anchor）、地金（bar）、または骨または歯根の内部に直接取り付けることができるように設計することもできる。この目的のために、雄部材は、ねじ山付き端部を有することができる。
【００２７】
図１０に具体的に示すように、雄部材５０の接続端部５０ａは、凸部および／または平面形状を有する輪郭を持った頭部５１を端面に有する。この例では、輪郭は、ここでは円形断面を有する円周曲面５１ｂに横方向で隣接する平面端面５１ａを有する。頭部５１には、口腔内で使用される場合にユーザの邪魔になり得るへりが無いことが好ましく、かつ／または、とりわけ、清掃を困難にする凹面、特にくぼみが無い。表面５１ｂは、それらの間に底面５２ｂが配置された２つの側面５２ａ、５２ｃを有する溝５２に隣接する。側面５２ａ、５２ｃは、断面に見られるように、互いに向かっていて、溝５２は、底面５２ｂに向かう方向に傾斜している。これにより、ねじ回し１０との接続がとりわけ容易になる。
【００２８】
図８および図９に具体的に示すように、接続端部５０ａは、ここでは溝５２の高さに配置される肉厚領域の形状に設計される突出部５３ａ、５３ｂを有する。図９に見られるように、突出部５３ａ、５３ｂは、雄部材５０の長手軸の回りにある角度範囲に亘って延在し、この角度範囲は、１８０度未満、好ましくは９０度未満、最も好ましくは４５度未満である。以下に更に説明するように、突出部５３ａ、５３ｂは、ねじ回し１０のトルクを伝達するように機能する。２つの突出部５３ａ、５３ｂがここでは、配設される。設計によっては、１つの突出部５３ａまたは５３ｂだけで十分であるとすることもできる。
【００２９】
この例ではディスク形状に設計される周方向の鍔５４は、溝５２に隣接している。図１０に示されるように、それは、横方向に突出し、かつ、ここでは頭部５１よりも大きな直径を有している。鍔５４は、中央雄部５０ｂに隣接し、かつ雄部材５０の周方向の位置合わせを確認し易くする助けとして機能するマークを有することができる。マークはここでは、肉厚領域５３ｂの領域に位置する切り欠き部５４ａとして形成される（図９参照）。マークは、他のどこか、例えば頭部５１に設けることもできる。
【００３０】
歯科用部品、例えば図８から図１０の雄部材５０は、ねじ回し１０を利用して以下の通りに取り扱うことができる（図１１から図１３参照）。
【００３１】
雄部材５０の接続端部５０ａは、雄部材５０をねじ回し１０に対して回転軸１１を横切るように移動させることにより、ねじ回し１０の横方向に開いた受け口１４に挿入される。挿入に際し、ねじ回し１０上の隆起部２０が休止位置から押されて、雄部材５０の頭部５１がねじ回し１０の溝１６内にあるようにされると直ちに、休止位置に戻る。雄部材５０は、それが不意に脱落するのを防止する隆起部２０により、横方向に保持される。ねじ回し１０の肩部１７は、雄部材５０の溝５２にかみ合う。ここでは、ねじ回し１０の端面１８に接触している鍔５４は、中央雄部５０ｂおよび接続端部５０ａと同様に、貫通穴１５から飛び出している（図１参照）。
【００３２】
挿入後、ねじ回し１０の肉厚端部１７ａ、１７ｂ、および雄部材５０の突出部５３ａ、５３ｂは普通、互いにある距離だけ離れて配置される。したがって、ねじ回し１０は、肉厚端部１７ａ、１７ｂが突出部５３ａ、５３ｂに接触するようになる前に、雄部材５０に対して特定の角度αだけ回転させることができる。この結果、回転に関して固定された接続となり、すなわちねじ回し１０を更に回転させると、雄部材５０が対応して回転するようになる。
【００３３】
図１２は、ねじ回し１０を反時計回りに回転させて、突出部５３ａが端部１７ａに外側から接触し、かつ突出部５３ｂが端部１７ｂに内側から接触する状況を示している。
【００３４】
雄部材５０は、トルクレンチを取扱い端部１０ｃに配置して、印加されるトルクがねじ回し１０を介して雄部材５０に伝達されるようにトルクレンチを作用させることにより、端位置まで締め込まれる。締め過ぎに対する安全保障として、ねじ回し１０の接続端部１０ａは、トルク閾値を超えるときに、突出部５３ａ、５３ｂが互いに相離れるように押し開かれて、端部１７ａ、１７ｂが突出部５３ａ、５３ｂを乗り越えてすべってしまうように、かつ／または、ねじ回しが離れる方向に湾曲するように設計することができる。
【００３５】
ねじ回し１０は、横方向への移動により、力が隆起部２０に加えられてこれを押し離し、そうして受け口１４を解放して、接続端部５０ａを頭部５１から引き離すことができることによって、雄部材５０から分離される。
【００３６】
ねじ回し１０と雄部材５０とが、トルクの伝達がされる前に、互いに対して回転させることができる角度αは、ここでは、９０°より大きく、かつ半回転よりも幾分小さい角度に相当する。相対的な回転移動のこのような設計により、特に、雄部材５０が患者の口腔内にあって、したがって、工具の特定の位置取りが、狭い空間の状況のために困難になるときに、ねじ回し１０の取り付け、および分離が容易になる。
【００３７】
ねじ回し１０を雄部材５０に横方向に挿入し、端部１７ａ、１７ｂおよび突出部５３ａ、５３ｂが互いに接触するまでねじ回し１０を回転させ、そして同じ方向に更に回転させることにより、締め込むためのそれと同様の方法で、締め込まれた雄部材５０は解放され、雄部材５０が解放されて緩められる。
【００３８】
これまで説明してきた内容の非常に多くの変形例は、この技術分野の当業者であれば、請求項により規定される本発明の保護範囲から逸脱することなしに想到することができるであろう。
【００３９】
器具は、必ずしもねじ回しとして使用される必要はない。それは一般的に、歯科用部品を取り扱うために使用されると考えることができる。例えば、歯科用部品は、単に、長手方向に移動させて押し込むことにより、口腔内に導入することができる、雄部材とすることができる。したがって、取扱い端部と接続端部との間に長手方向に延在する器具は、接続端部と歯科用端部とが、これらを互いに対して長手軸を横切る方向にずらすことによって接続することができるように横方向に開放された受け口を有することができる。歯科用部品の回転による取扱いが行われない場合、とりわけ、つめ１７ａ、１７ｂを省略することができる。
【００４０】
器具は任意に、例えば少なくとも１つの保持手段、受け口に収容される歯科用部品の頭部を、接続端部と頭部との分離に対抗するように保持する働きをする、例えば隆起部２０の形状の１つ以上のバネ隆起部を有する。この設計により、特に歯科用部品を吸引しないように取り扱うことができる。
【００４１】
任意であるが、器具の接続端部は、長手軸回りの角度範囲であって、３６０度未満の、好ましくは２７０度未満の角度範囲に亘って延在し、かつ歯科用部品に形成される溝にかみ合わさる、肩部を有することができる。
【００４２】
雄部材の頭部は、図８から図１０に示されるものとは異なるように設計することもできる。例えば、それは、円錐形、球形とすることができ、または異なる形状を有することができる。器具の受け口（１４）は、雄部材の頭部を挿入することができるように適合させられる。雄部材は好適には、器具に嵌合させることができる溝（５２）を有する。
【符号の説明】
【００４３】
１０  器具、ねじ回し
１０ａ  接続端部
１０ｂ  中央部
１０ｃ  取扱い端部
１１  長手軸、回転軸
１４  受け口
１５  貫通穴
１６  溝
１７  肩部
１７ａ、１７ｂ  肉厚端部、つめ、端部
１７ｃ  中央部
１７ｄ、１７ｅ  箇所
１８  前方端面
２０  隆起部
２１  薄板状部材
２２  空き空間
２４  ブラインド穴
３０  寸法目盛り
３１  目印
４０  輪郭加工
４１  ブラインド穴
４２  鍔
４２ａ  平坦領域
５０  歯科用部品、アバットメント、雄部材
５０ａ  接続端部
５０ｂ  中央雄部
５０ｃ  固定用端部
５１  頭部
５１ａ  平面端面
５１ｂ  円周曲面
５２  溝
５２ａ、５２ｃ  側面
５２ｂ  底面
５３ａ  突出部
５３ｂ  突出部、肉厚領域
５４  周方向の鍔
５４ａ  切り欠き部
【図１】
0006723710.tif 000002
【図２】
0006723710.tif 000003
【図３】
0006723710.tif 000004
【図４】
0006723710.tif 000005
【図５】
0006723710.tif 000006
【図６】
0006723710.tif 000007
【図７】
0006723710.tif 000008
【図８】
0006723710.tif 000009
【図９】
0006723710.tif 000010
【図１０】
0006723710.tif 000011
【図１１】
0006723710.tif 000012
【図１２】
0006723710.tif 000013
【図１３】
0006723710.tif 000014